(57)【要約】【課題】自動的に推定したユーザの属性に応じた入力／出力設定を行うことが可能な入力装置、出力装置および記憶媒体を提供する。【解決手段】ユーザの属性を自動的に推定する推定部と、前記推定部により推定されたユーザの属性に応じて、入力モードを設定する設定部と、前記設定された入力モードに基づいて、入力を制御する制御部と、を備える、入力装置。【選択図】図１
2014137627.tif 000002
【特許請求の範囲】
【請求項１】
ユーザの属性を自動的に推定する推定部と、
前記推定部により推定されたユーザの属性に応じて、入力モードを設定する設定部と、
前記設定された入力モードに基づいて、入力を制御する制御部と、
を備える、入力装置。
【請求項２】
前記推定部が推定する前記ユーザの属性は、前記入力装置に対する前記ユーザの習熟度を示す、請求項１に記載の入力装置。
【請求項３】
前記推定部は、前記ユーザの入力状況、前記ユーザの年齢、年代、または前記ユーザが子供か大人か高齢者かに応じて、前記ユーザの習熟度を推定する、請求項２に記載の入力装置。
【請求項４】
前記推定部が推定する前記ユーザの属性は、前記ユーザの年齢、年代、または前記ユーザが子供か大人か高齢者かを示す、請求項１に記載の入力装置。
【請求項５】
前記推定部は、前記ユーザの入力内容、氏名、または前記ユーザの顔を撮像した撮像画像に応じて、前記ユーザの年齢、年代、または前記ユーザが子供か大人か高齢者かを推定する、請求項４に記載の入力装置。
【請求項６】
前記推定部が推定する前記ユーザの属性は、前記ユーザの人種または国籍を示す、請求項１に記載の入力装置。
【請求項７】
前記推定部が推定する前記ユーザの属性は、前記ユーザの視力を示す、請求項１に記載の入力装置。
【請求項８】
前記入力装置は、前記ユーザの属性を推定するための情報を検出する検出部をさらに備え、
前記推定部は、前記検出部による検出結果に基づいて、前記ユーザの属性を推定する、請求項１に記載の入力装置。
【請求項９】
前記入力モードの設定は、入力画面、または前記入力画面に含まれるソフトウェアキーボードのキー配列の設定である、請求項１に記載の入力装置。
【請求項１０】
前記入力モードの設定は、入力における言語設定である、請求項１に記載の入力装置。
【請求項１１】
ユーザの属性を自動的に推定する推定部と、
前記推定部により推定されたユーザの属性に応じて、出力モードを設定する設定部と、
前記設定された出力モードに基づいて、出力を制御する制御部と、
を備える、出力装置。
【請求項１２】
前記推定部が推定する前記ユーザの属性は、前記出力装置に対する前記ユーザの習熟度を示す、請求項１１に記載の出力装置。
【請求項１３】
前記推定部は、前記ユーザの入力状況、前記ユーザの年齢、年代、または前記ユーザが子供か大人か高齢者かに応じて、前記ユーザの習熟度を推定する、請求項１２に記載の出力装置。
【請求項１４】
前記推定部は、前記ユーザの入力内容、氏名、または前記ユーザの顔を撮像した撮像画像に応じて、前記ユーザの年齢、年代、または前記ユーザが子供か大人か高齢者かを、前記ユーザの属性として推定する、請求項１１に記載の出力装置。
【請求項１５】
前記出力装置は、前記ユーザの属性を推定するための情報を検出する検出部をさらに備え、
前記推定部は、前記検出部による検出結果に基づいて、前記ユーザの属性を推定する、請求項１１に記載の出力装置。
【請求項１６】
前記出力モードの設定は、表示画面に含まれる文字のサイズ、またはフォントの設定である、請求項１１に記載の出力装置。
【請求項１７】
前記出力モードの設定は、表示画面の表記の設定である、請求項１１に記載の出力装置。
【請求項１８】
前記表記の設定は、振り仮名の有無、漢字表記から仮名表記への変換、または他言語への変換の設定である、請求項１７に記載の出力装置。
【請求項１９】
コンピュータに、
ユーザの属性を自動的に推定する推定部と、
前記推定部により推定されたユーザの属性に応じて、入力モードを設定する設定部と、
前記設定された入力モードに基づいて、入力を制御する制御部と、
として機能させるためのプログラムが記憶された記憶媒体。
【請求項２０】
コンピュータに、
ユーザの属性を自動的に推定する推定部と、
前記推定部により推定されたユーザの属性に応じて、出力モードを設定する設定部と、
前記設定された出力モードに基づいて、出力を制御する制御部と、
として機能させるためのプログラムが記憶された記憶媒体。
【発明の詳細な説明】
【技術分野】
【０００１】
本開示は、入力装置、出力装置および記憶媒体に関する。
【背景技術】
【０００２】
ユーザ環境に応じた情報処理装置の制御に関し、例えば下記特許文献１では、特定の望ましい状態を表現するために、環境内に配置された装置及び装置間の接続を管理、ルート設定、制御するシステム及び方法が開示されている。
【０００３】
また、近年様々な特徴を有する情報処理装置が提供されており、例えばノートＰＣ（パーソナルコンピュータ）とタブレットＰＣといった複数の装置を接続させて、相互に一方から他方を操作できるようにして各装置の特徴を活かした利用方法が提案されている。例えば、下記特許文献２では、同一内容のコンテンツを複数のコンピュータにおいてそれぞれ同時に処理させる、具体的には複数のコンピュータで同一の画像を表示させるコンピュータシステムが開示されている。
【０００４】
また、プリンタやビデオカメラ等の出力機器の制御に関し、下記特許文献３では、身体的特徴データ（例えば指紋データ）を用いて出力機器の出力を制限することで、セキュリティを高めることができるネットワークシステムが開示されている。
【先行技術文献】
【特許文献】
【０００５】
【特許文献１】特表２００９−５３６４１５号公報
【特許文献２】特開２０１２−１０８６５８号公報
【特許文献３】特開２００２−２８１２７７号公報
【発明の概要】
【発明が解決しようとする課題】
【０００６】
しかしながら、上述した特許文献１〜３では、ユーザの属性に応じて情報処理装置の入力モードや出力モードを設定することには言及されていない。
【０００７】
また、情報処理装置を利用する場合に、ユーザ名やパスワード等を入力してログインすることで、ユーザ個人に最適化された設定環境に制御されることも考えられるが、この場合、予めユーザ登録を行う必要があった。また、ユーザ名やパスワードを思い出せない場合はログインすることができない。したがって、ユーザ名やパスワード等を入力する必要がなくとも、情報処理装置の入力モードや出力モードが、ある程度ユーザの属性に応じた設定環境に制御されれば、ユーザの利便性は格段に向上する。
【０００８】
そこで、本開示では、自動的に推定したユーザの属性に応じた入力／出力設定を行うことが可能な、新規かつ改良された入力装置、出力装置および記憶媒体を提案する。
【課題を解決するための手段】
【０００９】
本開示によれば、ユーザの属性を自動的に推定する推定部と、前記推定部により推定されたユーザの属性に応じて、入力モードを設定する設定部と、前記設定された入力モードに基づいて、入力を制御する制御部と、を備える入力装置を提案する。
【００１０】
本開示によれば、ユーザの属性を自動的に推定する推定部と、前記推定部により推定されたユーザの属性に応じて、出力モードを設定する設定部と、前記設定された出力モードに基づいて、出力を制御する制御部と、を備える出力装置を提案する。
【００１１】
本開示によれば、コンピュータに、ユーザの属性を自動的に推定する推定部と、前記推定部により推定されたユーザの属性に応じて、入力モードを設定する設定部と、前記設定された入力モードに基づいて、入力を制御する制御部と、として機能させるためのプログラムが記憶された記憶媒体を提案する。
【００１２】
本開示によれば、コンピュータに、ユーザの属性を自動的に推定する推定部と、前記推定部により推定されたユーザの属性に応じて、出力モードを設定する設定部と、前記設定された出力モードに基づいて、出力を制御する制御部と、として機能させるためのプログラムが記憶された記憶媒体を提案する。
【発明の効果】
【００１３】
以上説明したように本開示によれば、自動的に推定したユーザの属性に応じた入力／出力設定を行うことが可能となる。
【図面の簡単な説明】
【００１４】
【図１】本開示の一実施形態による入出力設定の概要を説明するための図である。
【図２】第１の実施形態によるタブレット端末の構成を示すブロック図である。
【図３】第１の実施形態による入力設定処理を示すフローチャートである。
【図４】第２の実施形態による表示出力モードの設定の概要を説明するための図である。
【図５】第２の実施形態によるＰＣの内部構成を示すブロック図である。
【図６】第２の実施形態による基本的な出力設定の動作処理を示すフローチャートである。
【図７】第２の実施形態によるＰＣによる表示出力モードの設定における動作処理の一例を示すフローチャートである。
【図８】第２の実施形態によるオーディオ装置の内部構成を示すブロック図である。
【図９】第２の実施形態によるオーディオ装置の音声出力モード設定における動作処理の一例を示すフローチャートである。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、説明は以下の順序で行うものとする。
１．本開示の一実施形態による入出力設定の概要
２．各実施形態
２−１．第１の実施形態
２−２．第２の実施形態
３．まとめ
【００１７】
＜＜１．本開示の一実施形態による入出力設定の概要＞＞
まず、本開示の一実施形態による入出力設定の概要について、図１を参照して説明する。
【００１８】
図１は、本開示の一実施形態による入出力設定の概要を説明するための図である。図１に示すように、本実施形態によるタブレット端末１は、利用者であるユーザの属性を自動的に推定し、推定したユーザ属性に応じた入力モードまたは出力モードを設定する。例えばタブレット端末１は、ユーザＵ１のユーザ属性として、ユーザが大人であることを推定し、ユーザＵ２のユーザ属性として、ユーザが子供であることを推定する。なお、ユーザ属性の推定方法については各実施形態において詳細に説明する。
【００１９】
そして、タブレット端末１は、ユーザ属性が「大人」の場合は大人が使いやすい入力モードや出力モードに設定し、ユーザ属性が「子供」の場合は子供が使いやすい入力モードや出力モードに設定する。
【００２０】
具体的には、「ユーザ属性：大人」に応じた入力モードの設定を行った場合、図１に示すように、タブレット端末１は、例えばタッチパネルディスプレイ１３にソフトウェアキーボードを表示する際、アルファベット配列のソフトウェアキーボードＰ１を表示する。
【００２１】
一方、「ユーザ属性：子供」に応じた入力モードの設定を行った場合、図１に示すように、タブレット端末１は、例えばタッチパネルディスプレイ１３にソフトウェアキーボードを表示する際、仮名配列のソフトウェアキーボードＰ２を表示する。
【００２２】
このように、本開示によれば、利用者のユーザ属性を自動的に推定し、推定したユーザの属性に応じた入力モードまたは出力モードを設定することで、ユーザの利便性を向上させることができる。
【００２３】
また、利用者は、予めユーザ登録を行う必要がなく、ユーザ名やパスワードを入力しなくとも、ある程度ユーザの属性に応じた快適な環境に設定されるので、ユーザの利便性はさらに向上する。
【００２４】
以上、本開示の一実施形態による入出力設定の概要について説明した。続いて、本開示による入出力設定について、複数の実施形態を用いて詳細に説明する。なお、以下に説明する各実施形態では、入力装置の一例としてタブレット端末１を用いるが、本実施形態による入力装置はタブレット端末１に限定されない。例えば、本実施形態による入力装置は、スマートフォン、携帯電話端末、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、デジタルカメラ、ビデオカムコーダ、マイクロホン、リモートコントローラ等であってもよい。
【００２５】
また、以下に説明する各実施形態では、出力モードを設定する出力装置として、ＰＣ２およびオーディオ装置３を用いるが、本実施形態による出力装置はこれらに限定されない。例えば、本実施形態による出力装置は、スマートフォン、携帯電話端末、ＰＤＡ、ＰＣ、デジタルカメラ、ビデオカムコーダ、プロジェクター、テレビジョン装置等であってもよい。
【００２６】
さらに、本開示による入力モードの設定および出力モードの設定の両方を実施可能な入出力装置も、当然に本開示の範囲に含まれる。入出力装置の具体例としては、スマートフォン、携帯電話端末、ＰＤＡ、ＰＣ、デジタルカメラ、ビデオカムコーダ等が挙げられる。
【００２７】
＜＜２．各実施形態＞＞
＜２−１．第１の実施形態＞
まず、第１の実施形態を用いて、本開示によるユーザ属性に応じた入力モードの設定について説明する。本実施形態では、ユーザ属性に応じた入力モードの設定を行う入力装置の一例として図１に示すタブレット端末１を用いる。以下、本実施形態によるタブレット端末１の構成および動作処理について図２〜図３を用いて順次説明する。
【００２８】
（２−１−１．構成）
図２は、第１の実施形態によるタブレット端末１の構成を示すブロック図である。図２に示すように、本実施形態によるタブレット端末１は、制御部１０、カメラ１１、タッチパネルディスプレイ１３、および記憶部１４を有する。
【００２９】
（制御部）
制御部１０は、タブレット端末１の各構成に指令を出してタブレット端末１全体を制御する。具体的には、図２に示すように、制御部１０は、推定部１１０、設定部１３０、および入力制御部１５０として機能する。
【００３０】
推定部１１０は、ユーザの属性を推定する機能を有する。本明細書において、ユーザの属性とは、例えばタブレット端末１に対するユーザの習熟度、ユーザの年齢、年代、ユーザが子供か大人か高齢者か、ユーザの人種、国籍、または視力等を示すものであってもよい。
【００３１】
このようなユーザの属性を、推定部１１０は、タッチパネルディスプレイ１３により検出されるユーザによる入力状況や入力内容、またはカメラ１１により検出されるユーザの撮像画像等に基づいて推定することができる。
【００３２】
具体的には、推定部１１０は、タッチパネルディスプレイ１３により検出される入力状況（詳しくは入力スピードや正確性など）に応じて、タブレット端末１に対するユーザの習熟度を推定できる。例えば、推定部１１０は、入力スピードが速い程、または入力内容が正確な程（誤入力が少ない程）、習熟度を高く推定し、入力スピードが遅い程、または入力内容が不正確な程（誤入力が多い程）、習熟度を低く推定する。また、推定部１１０は、ユーザの顔を含む撮像画像に基づいて判断されるユーザの年齢、年代、子供か大人か高齢者か等に応じて、タブレット端末１に対するユーザの習熟度を推定してもよい。例えば、推定部１１０は、ユーザが子供や高齢者であれば習熟度を低く推定し、大人であれば習熟度を高く推定する。
【００３３】
また、推定部１１０は、タッチパネルディスプレイ１３により検出されるユーザの入力内容（言葉づかい、単語の難解さ、漢字の多さ等）、またはユーザの氏名（特に名前）に応じて、ユーザの年齢、年代、またはユーザが子供か大人か高齢者かを推定することができる。すなわち、ユーザの年齢、年代、またはユーザが子供か大人か高齢者かによって、言葉づかいや使用する単語の難解さ、漢字の多さ等が異なるので、推定部１１０は、これらに基づいて、ユーザの年齢等を推定することができる。また、同様に、ユーザの年齢、年代、またはユーザが子供か大人か高齢者かによって、ユーザの氏名（特に名前）や氏名のパターンが異なるので、推定部１１０は、これらに基づいて、ユーザの年齢等を推定することができる。なお、推定する際は、記憶部１４等に予め記憶されている年齢や年代毎の言葉づかい、氏名等の統計データが用いられてもよい。さらに、推定部１１０は、カメラ１１により撮像したユーザの顔画像に基づいて、ユーザの年齢、年代、ユーザが子供か大人か高齢者か等を推定してもよい。
【００３４】
また、推定部１１０は、タッチパネルディスプレイ１３により検出される入力内容、またはユーザの氏名に応じて、ユーザの人種または国籍を推定できる。具体的には、推定部１１０は、入力された言語の種類や、ユーザの氏名の特徴等に基づいて、ユーザの人種または国籍を推定する。さらに、推定部１１０は、カメラ１１により撮像したユーザの顔画像に基づいてユーザの人種または国籍を推定してもよい。
【００３５】
また、推定部１１０は、カメラ１１により撮像したユーザの顔画像に含まれる眼の画像に基づいて、ユーザの視力を推定してもよい。また、推定部１１０は、距離センサ（不図示）により測距されるユーザの顔とタッチパネルディスプレイ１３との距離に応じて、ユーザの視力を推定してもよい。
【００３６】
以上説明した推定部１１０によるユーザ属性の推定は、記憶部１４に予め記憶された推定用のデータを用いて行われる。また、タブレット端末１が通信機能を有し、外部ネットワークに接続できる場合、本実施形態の推定部１１０によるユーザ属性の推定は、ネットワーク上の所定のサーバから取得した推定用のデータを用いて行われてもよい。
【００３７】
設定部１３０は、推定部１１０により推定されたユーザの属性に応じて、入力モードを設定する機能を有する。入力モードの設定とは、タブレット端末１への情報入力に関する各種の設定である。具体的には、設定部１３０は、入力用画面のレイアウトや機能、入力用画面に含まれるソフトウェアキーボードのキー配列等を、ユーザの属性に応じて設定することができる。
【００３８】
例えば、設定部１３０は、ユーザの属性で示される習熟度が所定値より低い場合は初心者用の入力画面を設定し、習熟度が所定値より高い場合は熟練者用の入力画面を設定する。
【００３９】
また、設定部１３０は、ユーザの属性で示される年齢や年代が第１の所定年齢より低い場合、または第２の所定年齢より高い場合、若しくはユーザの属性が子供または高齢者である場合、図１に示すような仮名配列のソフトウェアキーボードＰ２を設定する。一方、設定部１３０は、ユーザの属性で示される年齢や年代が第１の所定年齢より高く第２の所定年齢より低い場合、またはユーザの属性が大人である場合、図１に示すようなアルファベット配列のソフトウェアキーボードＰ１を設定する。また、設定部１３０は、ユーザの属性が大人である場合や習熟度が所定値以上（熟練者）の場合、アルファベット配列の他、Ｔ９入力を設定してもよい。Ｔ９入力とは、母音キーが配列されたキーボードにおいて、連続で母音キーをタップすると選択された母音に基づいて予測変換された単語や文章を入力することができる文字入力方法である。
【００４０】
また、設定部１３０は、ユーザの属性で示される人種または国籍に応じて、その人種や国籍に応じた言語で入力可能な入力画面やソフトウェアキーボードを設定する。
【００４１】
また、設定部１３０は、ユーザの属性で示される視力に応じて、入力画面に含まれる文字や入力欄の大きさ、ソフトウェアキーボードのキーの大きさを設定してもよい。
【００４２】
さらに、設定部１３０は、タブレット端末１が、ジェスチャ入力可能な端末である場合、ユーザの属性（年齢、年代、子供か大人か高齢者か、人種、国籍等）に応じたジェスチャ認識に設定してもよい。すなわち、世代や国によってジェスチャの意味やジェスチャが異なる場合もあるので、ユーザ属性に応じたジェスチャ認識に設定されることで、ユーザは、違和感無くジェスチャ入力を行うことができる。また、ユーザが子供の場合、ジェスチャの動きが通常より大きい場合が想定されるので、設定部１３０は、ユーザの属性が子供である場合、動きが大きいジェスチャに対応できるジェスチャ認識に設定してもよい。
【００４３】
このようにして設定部１３０は、ユーザの属性に応じて、その属性のユーザが使いやすい入力モードを設定することができる。
【００４４】
入力制御部１５０は、設定部１３０により設定された入力モードに基づいて、入力を制御する機能を有する。例えば入力制御部１５０は、設定部１３０により設定された入力画面やソフトウェアキーボードを表示するようタッチパネルディスプレイ１３を制御する。
【００４５】
（カメラ）
カメラ１１は、撮像レンズ、絞り、ズームレンズ、及びフォーカスレンズ等により構成されるレンズ系、レンズ系に対してフォーカス動作やズーム動作を行わせる駆動系、レンズ系で得られる撮像光を光電変換して撮像信号を生成する固体撮像素子アレイ等を有する。固体撮像素子アレイは、例えばＣＣＤ（Ｃｈａｒｇｅ  Ｃｏｕｐｌｅｄ  Ｄｅｖｉｃｅ）センサアレイや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサアレイにより実現されてもよい。
【００４６】
本実施形態によるカメラ１１は、タブレット端末１を利用するユーザの顔を画角に含むことができるよう利用者側に向けて配置される。また、カメラ１１は、撮像した画像を制御部１０に出力する。
【００４７】
（タッチパネルディスプレイ）
タッチパネルディスプレイ１３は、操作入力機能および表示機能が一体化された入出力デバイスの一例である。タッチパネルディスプレイ１３は、制御部１０の入力制御部１５０からの指示に従って、所定の画面をディスプレイに表示する。また、タッチパネルディスプレイ１３は、画面に対するユーザのタッチ操作を検出し、操作入力データとして制御部１０に出力する。なお、ここでは操作入力機能および表示機能が一体化されている場合について説明したが、操作入力機能および表示機能は一体化されていなくてもよく、例えば操作入力部と表示部として別々に設けられていてもよい。
【００４８】
（記憶部）
記憶部１４は、制御部１０が各機能を実行するための各種プログラムや、各種データファイルを格納する。具体的には、例えば記憶部１４には、ユーザ属性推定用のデータや、入力モード設定用のデータ等が格納されている。
【００４９】
以上、第１の実施形態によるタブレット端末１の構成について図２を参照して詳細に説明した。なお、本実施形態によるタブレット端末１の構成は、図２に示す例に限定されず、例えばカメラ１１を有していない構成であってもよいし、入出力用のデバイスとしてマイクロホンやスピーカを有する構成であってもよい。また、タブレット端末１は、外部装置と接続するための通信部を有する構成であってもよい。
【００５０】
（２−１−２．動作処理）
次に、第１の実施形態のタブレット端末１の動作処理について図３を参照して説明する。
【００５１】
図３は、第１の実施形態による入力設定処理を示すフローチャートである。図３に示すように、まず、ステップＳ１０３において、タブレット端末１は、タブレット端末１を利用するユーザの存在を認識する。例えば、タブレット端末１は、タブレット端末１の電源がＯＮになった場合や、タッチパネルディスプレイ１３から操作入力が開始された場合、またはカメラ１１の画角にユーザの顔が含まれた場合等に、ユーザの存在を認識する。
【００５２】
次に、ステップＳ１０６において、タブレット端末１の推定部１１０は、ユーザの属性を推定する。ユーザの属性は、上述したように、タッチパネルディスプレイ１３から入力される入力内容や入力状況、また、カメラ１１により撮像されたユーザの顔画像に基づいて、自動的に推定される。
【００５３】
次いで、ステップＳ１０９において、設定部１３０は、推定部１１０により推定されたユーザの属性に応じて、入力モードを設定する。例えば、設定部１３０は、ユーザの属性で示されるユーザのタブレット端末１に対する習熟度に応じて、入力画面を初心者向きまたは熟練者向きのものに設定してもよい。また、設定部１３０は、ユーザの属性で示されるユーザの年齢、年代、ユーザが子供か大人か高齢者か等に応じて、入力画面に含まれるソフトウェアキーボードのキー配列を設定してもよい。
【００５４】
次に、ステップＳ１１２において、入力制御部１５０は、設定部１３０により設定された入力モードに従って、タッチパネルディスプレイ１３に表示される入力画面を変更するよう制御する。このようにして、タブレット端末１は、推定したユーザの属性に応じた入力モードを設定することができる。これにより、ユーザは、パスワードやユーザＩＤを入力したり、予めユーザ登録を行ったりしなくとも、使いやすい入力モードに変更されるので、利便性がより向上する。
【００５５】
続いて、ステップＳ１１５において、タブレット端末１は、ユーザが入力モードの変更を拒否したか否かを判断する。ユーザによっては、ユーザの属性に応じて変更された入力モードを好まない場合も想定されるためである。拒否したか否かの判断は、例えばタッチパネルディスプレイ１３から検出されるユーザによる操作入力に基づいて行われてもよい。
【００５６】
次いで、ユーザが入力モードの変更を拒否した場合（Ｓ１１５／Ｎｏ）、ステップＳ１２１において、設定部１３０は、入力モードの設定をデフォルトに変更する。また、入力制御部１５０は、設定部１３０による設定にしたがって、タッチパネルディスプレイ１３にデフォルトの入力画面を表示するよう制御する。
【００５７】
そして、ステップＳ１１８において、タブレット端末１は、設定した入力モードにおいて、タッチパネルディスプレイ１３から検出されるユーザによる操作入力を受け付ける。
【００５８】
以上、第１の実施形態による動作処理について図３を参照して詳細に説明した。本実施形態によれば、自動的に推定されたユーザの属性に応じた入力モードが設定され、利便性がより向上する。
【００５９】
＜２−２．第２の実施形態＞
続いて、第２の実施形態を用いて、本開示によるユーザ属性に応じた出力モードの設定について説明する。ここで、出力モードとして、表示出力モードおよびオーディオ信号出力モードが挙げられる。以下、表示出力モードの設定を行う出力装置の一例として、ＰＣ（パーソナルコンピュータ）を用いて説明し、オーディオ信号出力モードの設定を行う出力装置の一例として、オーディオ装置を用いて説明する。
【００６０】
（２−２−１．表示出力モードの設定）
まず、表示出力モードの設定について、図４〜図７を用いて詳細に説明する。
【００６１】
（概要）
図４は、表示出力モードの設定の概要を説明するための図である。図４に示すように、表示出力モードの設定を行う出力装置の一例であるＰＣ２は、表示装置２３および操作入力部２２を有し、操作入力部２２から検出されたユーザ操作に従って、表示装置２３の表示を制御する。また、図４に示すように、ＰＣ２は、ＰＣ２の利用者の顔を画角に含むことができるよう設置されたカメラ２１を有していてもよい。
【００６２】
ここで、ＰＣ２は、利用者であるユーザの属性を自動的に推定し、推定したユーザ属性に応じた表示出力モードを設定する。例えばＰＣ２は、ユーザＵ１のユーザ属性として「大人」を推定し、ユーザＵ３のユーザ属性として「高齢者」を推定する。ユーザ属性の推定方法は第１の実施形態と同様であって、例えば操作入力部２２からの入力内容や入力状況、カメラ２１により撮像されたユーザの顔画像等に基づいて推定される。
【００６３】
そして、ＰＣ２は、ユーザ属性が「大人」の場合は大人が見やすい表示出力モードに設定し、ユーザ属性が「高齢者」の場合は高齢者が見やすい表示出力モードに設定する。
【００６４】
具体的には、ＰＣ３は、表示装置２３の表示画面に含まれる文字のサイズやフォントを、「大人」または「高齢者」が見やすく、眼の疲労感が少ないとされるサイズやフォントで表示するよう設定する。図４に示す例では、「ユーザ属性：大人」に応じた表示出力モードの設定が行われると、表示画面Ｐ４が表示され、「ユーザ属性：高齢者」に応じた表示出力モードの設定が行われると、表示画面Ｐ４の文字よりも大きいサイズで表現する表示画面Ｐ５が表示される。
【００６５】
このように、本開示によれば、利用者のユーザ属性を自動的に推定し、推定したユーザの属性に応じた表示出力モードを設定することで、ユーザの利便性を向上させることができる。以下、図５〜図７を用いて、本実施形態によるＰＣ２の内部構成と動作処理について説明する。
【００６６】
（内部構成）
図５は、第２の実施形態によるＰＣ２の内部構成を示すブロック図である。図５に示すように、ＰＣ２は、制御部２０、カメラ２１、操作入力部２２、表示装置２３、記憶部２４、および検出部２５を有する。
【００６７】
制御部２０は、ＰＣ２の各構成に指令を出してＰＣ２全体を制御する。具体的には、図５に示すように、制御部２０は、推定部２１０、設定部２３０、および表示制御部２５０として機能する。
【００６８】
推定部２１０は、ユーザの属性を推定する機能を有する。具体的な推定方法は、図２を参照して説明した第１の実施形態による推定部１１０による推定方法と同様である。また、本実施形態による推定部２１０は、さらに、検出部２５の検出結果に基づいて、ユーザの属性を推定することも可能である。検出部２５は、例えばＰＣ２の電源スイッチに設けられ、ユーザが電源スイッチに触れて電源を入れる動作を行った際に、ユーザの指紋、指の大きさ、発汗量、または押圧力を検出することが可能である。推定部２１０は、検出部２５の検出結果に基づいて、ユーザの年齢、年代、ユーザが子供か大人か高齢者か等のユーザ属性を推定することができる。
【００６９】
また、推定部２１０は、検出部２５により検出された指紋を、予め登録されたユーザの指紋と照合してユーザの属性を推定することも可能である。ユーザは、意識的にユーザＩＤやパスワードの入力（ログイン動作）を行う必要がなく、ＰＣの電源を入れるという自然な動作で無意識のうちにログインできるので、利便性がより向上する。
【００７０】
設定部２３０は、推定部２１０により推定されたユーザの属性に応じて、表示出力モードを設定する機能を有する。表示出力モードの設定とは、ＰＣ２の表示制御に関する各種の設定である。設定部２３０は、表示画面に含まれる文字のサイズやフォント、言語、振り仮名（ルビ）の有無等の表記を、ユーザの属性に応じて設定することができる。
【００７１】
具体的には、設定部２３０は、ユーザが子供の場合、文字のサイズを通常より大きく表示したり、漢字に振り仮名を付けたり、漢字を仮名に変換して表示したり、画像のサイズを通常より大きく表示したりするよう設定する。また、ユーザが高齢者の場合、文字のサイズや画像のサイズを通常より大きく表示するよう設定する。また、設定部２３０は、ユーザの人種や国籍に応じた言語で表示するよう設定してもよい。また、設定部２３０は、ユーザの習熟度に応じて、初心者用または熟練者用の表示画面を設定してもよい。
【００７２】
表示制御部２５０は、設定部２３０により設定された表示出力モードに基づいて、表示を制御する機能を有する。例えば表示制御部２５０は、設定部２３０により設定された表示画面を表示するよう表示装置２３を制御する。
【００７３】
カメラ２１は、第１の実施形態によるカメラ１１と同様であるので、ここでの説明は省略する。
【００７４】
操作入力部２２は、ユーザによる操作入力を検出する機能を有する。操作入力部２２は、図４に示すように、例えばキーボードおよびマウスにより実現される。また、本実施形態による操作入力部２２は、検出した操作入力のデータを、少なくとも制御部２０の推定部２１０に出力する。
【００７５】
表示装置２３は、画面表示機能を有するデバイスである。表示装置２３は、例えば液晶ディスプレイ、有機ＥＬ（Ｅｌｅｃｔｒｏｌｕｍｉｎｅｓｃｅｎｃｅ）ディスプレイ、またはＬＥＤ（Ｌｉｇｈｔ  Ｅｍｉｔｔｉｎｇ  Ｄｉｏｄｅ）ディスプレイにより実現される。また、本実施形態による表示装置２３は、表示制御部２５０による制御に従って画面表示を行う。
【００７６】
記憶部２４は、制御部２０が各機能を実行するための各種プログラムや、各種データファイルを格納する。具体的には、例えば記憶部２４には、ユーザ属性推定用のデータや、表示出力モード設定用のデータ等が格納されている。
【００７７】
検出部２５は、ユーザの指紋や指の大きさ等、ユーザ属性推定のために必要な情報を検出することが可能なセンサである。検出部２５は、例えばＰＣ２の電源スイッチに設けられ、ユーザが電源スイッチに触れて電源を入れる動作を行った際に、ユーザの指紋や指の大きさ、発汗量、押圧力を検出することが可能である。また、検出部２５は、検出結果を制御部２０の推定部２１０に出力する。
【００７８】
以上、第２の実施形態によるＰＣ２の構成について図５を参照して詳細に説明した。なお、本実施形態によるＰＣ２の構成は、図５に示す例に限定されず、例えばカメラ２１や検出部２５を有していない構成であってもよい。また、ＰＣ２は、外部装置と接続するための通信部を有する構成であってもよい。
【００７９】
続いて、第２の実施形態によるＰＣ２の動作処理について図６および図７を用いて説明する。
【００８０】
（動作処理）
図６は、第２の実施形態による基本的な出力設定の動作処理を示すフローチャートである。かかる図６を参照して、まず、第２の実施形態による基本的な出力設定の動作処理について説明する。すなわち、図６に示す動作処理は、一例としてＰＣ２で実行される動作処理として説明するが、後述するオーディオ装置３によるオーディオ信号出力設定の動作処理も含む基本的な出力設定の動作処理である。
【００８１】
図６に示すように、ステップＳ２０３において、ＰＣ２は、ＰＣ２を利用するユーザの存在を認識する。例えば、ＰＣ２は、ＰＣ２の電源がＯＮになった場合や、操作入力部２２から操作入力が開始された場合、またはカメラ２１の画角にユーザの顔が含まれた場合等に、ユーザの存在を認識する。
【００８２】
次に、ステップＳ２０６において、ＰＣ２の推定部２１０は、ユーザの属性を推定する。ユーザの属性は、上述したように、操作入力部２２から入力される入力内容や入力状況、カメラ２１により撮像されたユーザの顔画像、また、検出部２５により検出されたユーザの指紋や指の大きさに基づいて自動的に推定される。
【００８３】
次いで、ステップＳ２０９において、設定部２３０は、推定部２１０により推定されたユーザの属性に応じて、出力モードを設定する。設定部２３０による具体的な出力モードの設定については、図６に示すフローチャートを参照して後述する。
【００８４】
次に、ステップＳ２１２において、表示制御部２５０は、設定部２３０により設定された出力モードに従って、出力制御を行う。このようにして、ＰＣ２は、推定したユーザの属性に応じた出力モードを設定することができる。これにより、ユーザは、パスワードやユーザＩＤを入力したり、予めユーザ登録を行ったりしなくとも、自動的に推定されたユーザの属性に応じた適切な出力モードに変更されるので、利便性がより向上する。
【００８５】
続いて、ステップＳ２１５において、ＰＣ２は、ユーザがユーザの属性に応じた出力モードの設定を拒否したか否かを判断する。ユーザによっては、ユーザの属性に応じて設定された出力モードを好まない場合も想定されるためである。拒否したか否かの判断は、例えば操作入力部２２から検出されるユーザによる操作入力に基づいて行われてもよい。
【００８６】
次いで、ユーザが出力モードの設定を拒否した場合（Ｓ２１５／Ｎｏ）、ステップＳ２２１において、設定部２３０は、出力モードの設定をデフォルトに変更する。また、表示制御部２５０は、設定部２３０による設定にしたがって、デフォルトの出力設定で出力制御を行う。
【００８７】
以上、第２の実施形態による基本的な出力設定の動作処理について説明した。続いて、ユーザの属性に応じた具体的な表示出力モードの設定について、図７を参照して説明する。
【００８８】
図７は、第２の実施形態によるＰＣ２による表示出力モードの設定における動作処理の一例を示すフローチャートである。図７に示すステップＳ２３３、Ｓ２３６の処理は、図６を参照して説明したＳ２０３、Ｓ２０６の処理と同様であるので、ここでの説明は省略する。
【００８９】
次に、ステップＳ２３９において、ＰＣ２の制御部２０は、推定部２１０により推定されたユーザの属性に応じて、設定部２３０により文字サイズの拡大／縮小設定を行い、設定に従って表示制御部２５０により表示装置２３に表示される文字サイズの大きさを制御する。
【００９０】
例えば、設定部２３０は、ユーザの属性が子供、高齢者、またはユーザの属性で示されるユーザの視力が所定値を下回る場合、文字サイズの拡大設定を行う。また、設定部２３０は、ユーザの属性が大人、またはユーザの属性で示されるユーザの視力が所定値を上回る場合、文字サイズの縮小設定を行う。このように、本実施形態によれば、自動的に推定されたユーザの属性に応じた適切な文字サイズを設定することで画面上の文字を見やすくさせ、さらに眼の疲労を軽減させることができる。
【００９１】
続いて、ステップＳ２４０において、ＰＣ２は、ユーザがユーザの属性に応じた文字サイズの設定を拒否したか否かを判断する。ユーザによっては、ユーザの属性に応じて設定された文字サイズを好まない場合も想定されるためである。拒否したか否かの判断は、例えば操作入力部２２から検出されるユーザによる操作入力に基づいて行われてもよい。
【００９２】
次いで、ユーザが文字サイズの設定を拒否した場合（Ｓ２４０／Ｎｏ）、ステップＳ２４１において、設定部２３０は、デフォルトの文字サイズに変更する。また、表示制御部２５０は、設定部２３０による設定にしたがって、デフォルトの文字サイズで表示するよう制御する。
【００９３】
さらに、ＰＣ２は、ユーザの属性に応じて表示装置２３に表示されるテキスト表記の設定を変更することも可能である。具体的には、ステップＳ２４２において、制御部２０は、推定部２１０により推定されたユーザの属性に応じて、設定部２３０により振り仮名の有無、漢字表記から仮名表記への変換、他言語への変換等の表記設定を行う。そして、制御部２０は、設定部２３０による設定に従って表示制御部２５０により表示装置２３に表示されるテキストの表記を制御する。
【００９４】
例えば、設定部２３０は、推定されたユーザの属性が子供の場合、仮名表記または振り仮名表記の設定を行う。また、設定部２３０は、推定されたユーザの属性で示されるユーザの人種、国籍に応じた言語で表記するよう設定する。このように、本実施形態によれば、自動的に推定されたユーザの属性に応じた適切な表記を設定することで、利便性をさらに向上させることができる。
【００９５】
続いて、ステップＳ２４５において、ＰＣ２は、ユーザがユーザの属性に応じた表記の設定を拒否したか否かを判断する。ユーザによっては、ユーザの属性に応じて設定された表記を好まない場合も想定されるためである。拒否したか否かの判断は、例えば操作入力部２２から検出されるユーザによる操作入力に基づいて行われてもよい。
【００９６】
次いで、ユーザが表記の設定を拒否した場合（Ｓ２４５／Ｎｏ）、ステップＳ２４８において、設定部２３０は、デフォルトの表記に変更する。また、表示制御部２５０は、設定部２３０による設定にしたがって、デフォルトの表記で表示するよう制御する。
【００９７】
（２−２−２．オーディオ信号出力モードの設定）
以上、第２の実施形態による表示出力設定について詳細に説明した。続いて、本実施形態によるオーディオ信号出力設定について図８および図９を参照して詳細に説明する。ここで、オーディオ信号出力設定を実行する出力装置として、オーディオ装置３を一例に説明する。本実施形態によるオーディオ装置３は、室内や室外に設置されたスピーカから、ユーザの属性に応じて音楽を流すことが可能である。
【００９８】
（内部構成）
図８は、第２の実施形態によるオーディオ装置３の内部構成を示すブロック図である。図８に示すように、オーディオ装置３は、制御部３０、カメラ３１、操作入力部３２、スピーカ３３、記憶部３４、および検出部３５を有する。
【００９９】
制御部３０は、オーディオ装置３の各構成に指令を出してオーディオ装置３全体を制御する。具体的には、図８に示すように、制御部３０は、推定部３１０、設定部３３０、および音声出力制御部３５０として機能する。
【０１００】
推定部３１０は、ユーザの属性を推定する機能を有する。推定部３１０は、カメラ３１により撮影したユーザの顔画像に基づいて、ユーザの属性（ユーザの年齢、年代、ユーザが子供か大人か高齢者か、ユーザの人種、国籍、性別等）を推定してもよい。
【０１０１】
また、推定部３１０は、検出部３５の検出結果に基づいて、ユーザの属性を推定することも可能である。検出部３５は、例えばオーディオ装置３の電源スイッチに設けられ、ユーザが電源スイッチに触れて電源を入れる動作を行った際に、ユーザの指紋や指の大きさを検出することが可能である。推定部３１０は、検出部３５の検出結果（指紋や指の大きさ）に基づいて、ユーザの年齢、年代、ユーザが子供か大人か高齢者か等のユーザ属性を推定することができる。また、オーディオ装置３が、室内に設けられたスピーカから背景音楽を流すものである場合、検出部３５は、室内の照明スイッチやドアノブに設けられていてもよい。これにより、検出部３５は、ユーザが照明スイッチに触れて照明を点ける動作を行った際や、ドア開けて室内に入る際に、ユーザの指紋や指の大きさを検出することが可能である。
【０１０２】
なお推定部３１０は、検出部３５により検出された指紋を、予め登録されたユーザの指紋と照合してユーザの属性を推定することも可能である。ユーザは、意識的にユーザＩＤやパスワードの入力（ログイン動作）を行う必要がなく、オーディオ装置３の電源を入れる等の自然な動作で無意識のうちにログインできるので、利便性がより向上する。
【０１０３】
さらに、推定部３１０は、操作入力部３２からの入力内容（選曲内容等）や入力状況（操作の正確性等）に基づいて、ユーザの属性（例えば、ユーザの年齢、年代、ユーザが子供か大人か高齢者か等）を推定することも可能である。
【０１０４】
設定部３３０は、推定部３１０により推定されたユーザの属性に応じて、音声出力モードを設定する機能を有する。音声出力モードの設定とは、オーディオ装置３の音声出力制御に関する各種の設定であって、例えば選曲、音質、Ｃｏｄｅｃ、サラウンドモード、エフェクト・フィルター（重低音重視、高域強調等）等の設定である。
【０１０５】
具体的には、設定部３３０は、ユーザが子供の場合、子供向けの音楽を選択したり、子供に適切な音質、エフェクト・フィルター等を設定したりする。また、設定部３３０は、ユーザが大人の場合、高齢者の場合、女性の場合、男性の場合等も同様に、各々適切な音楽を選択したり、聞こえやすい音質、エフェクト・フィルター等を設定したりする。また、設定部３３０は、ユーザの人種や国籍に応じて、ユーザの出身国で親しまれている音楽を選択したりしてもよい。
【０１０６】
音声出力制御部３５０は、設定部３３０により設定された音声出力モードに基づいて、スピーカ３３からの音声出力を制御する機能を有する。
【０１０７】
カメラ３１は、オーディオ装置３を利用するユーザの顔を画角に含むことができるよう、オーディオ装置３、または室内の天井や壁、室外の壁等に設置されている。カメラ３１は、撮影したユーザの顔画像を、推定部３１０に出力する。
【０１０８】
操作入力部３２は、ユーザによる操作入力を検出する機能を有する。操作入力部２２は、例えば電源スイッチ、再生ボタン、停止ボタン、コントロールボタン、音量調節ボタン等により実現される。また、本実施形態による操作入力部３２は、検出した操作入力のデータを、少なくとも制御部３０の推定部３１０に出力する。
【０１０９】
スピーカ３３は、音声信号（オーディオ信号）を出力する音声出力部であって、アンプ回路を有していてもよい。本実施形態によるスピーカ３３は、音声出力制御部３５０による制御に従って、所定の音声信号を再生する。
【０１１０】
記憶部３４は、制御部３０が各機能を実行するための各種プログラムや、各種データファイルを格納する。具体的には、例えば記憶部３４には、ユーザ属性推定用のデータや、音声出力モード設定用のデータ、各種の音楽データ等が格納されている。
【０１１１】
検出部３５は、ユーザの指紋や指の大きさ等、ユーザ属性推定のために必要な情報を検出することが可能なセンサである。検出部２５は、上述したように、例えばオーディオ装置３の電源スイッチや、室内の照明スイッチ、ドアノブ等に設けられ、ユーザが電源を入れる等の自然な動作を行った際に、ユーザの指紋や指の大きさを検出することが可能である。また、検出部３５は、検出結果を制御部３０の推定部３１０に出力する。
【０１１２】
以上、第２の実施形態によるオーディオ装置３の構成について図８を参照して詳細に説明した。なお、本実施形態によるオーディオ装置３の構成は、図８に示す例に限定されず、例えばカメラ３１や検出部３５を有していない構成であってもよい。また、オーディオ装置３は、外部装置と接続するための通信部を有する構成であってもよい。
【０１１３】
続いて、第２の実施形態によるオーディオ装置３の動作処理について図９を用いて説明する。
【０１１４】
（動作処理）
図９は、第２の実施形態によるオーディオ装置３の音声出力モード設定における動作処理の一例を示すフローチャートである。図９に示すステップＳ２６３、Ｓ２６６の処理は、図６を参照して説明したＳ２０３、Ｓ２０６の処理と同様であるので、ここでの説明は省略する。
【０１１５】
次に、ステップＳ２６９において、オーディオ装置３の制御部３０は、推定部３１０により推定されたユーザの属性に応じて、設定部３３０により音声出力モードの設定を行う。
【０１１６】
次いで、ステップＳ２７２において、音声出力制御部３５０は、設定部３３０により設定された音声出力モードに従って、音声出力制御を行う。このようにして、オーディオ装置３は、推定したユーザの属性に応じた音声出力モードを設定することができる。これにより、ユーザは、パスワードやユーザＩＤを入力したり、予めユーザ登録を行ったりしなくとも、自動的に推定されたユーザの属性に応じた適切な音声出力モードに変更されるので、利便性がより向上する。
【０１１７】
続いて、ステップＳ２７５において、オーディオ装置３は、ユーザがユーザの属性に応じた音声出力モードの設定を拒否したか否かを判断する。ユーザによっては、ユーザの属性に応じて設定された音声出力モードを好まない場合も想定されるためである。拒否したか否かの判断は、例えば操作入力部３２から検出されるユーザによる操作入力に基づいて行われてもよい。
【０１１８】
次いで、ユーザが音声出力モードの設定を拒否した場合（Ｓ２７５／Ｎｏ）、ステップＳ２７８において、設定部３３０は、音声出力モードの設定をデフォルトに変更する。また、音声出力制御部３５０は、設定部３３０による設定にしたがって、デフォルトの音声出力設定で音声出力制御を行う。
【０１１９】
以上、第２の実施形態によるオーディオ装置３の音声出力設定の動作処理について詳細に説明した。
【０１２０】
＜＜３．まとめ＞＞
上述したように、本実施形態によれば、利用者のユーザ属性を自動的に推定し、推定したユーザの属性に応じた入力モードまたは出力モードを設定することで、ユーザの利便性を向上させることができる。
【０１２１】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２２】
例えば、タブレット端末１、ＰＣ２、またはオーディオ装置３に内蔵されるＣＰＵ、ＲＯＭ、およびＲＡＭ等のハードウェアに、上述したタブレット端末１、ＰＣ２、またはオーディオ装置３の機能を発揮させるためのコンピュータプログラムも作成可能である。また、当該コンピュータプログラムを記憶させたコンピュータ読み取り可能な記憶媒体も提供される。
【０１２３】
また、本実施形態による推定部１１０、２１０、３１０によるユーザ属性の推定方法は、上述した例に限定されない。例えば、本実施形態による推定部は、ユーザの手の大きさに基づいて、ユーザが子供か大人かを推定してもよい。ユーザの手の大きさは、例えばカメラやキーボードに設けられたタッチセンサ等により判断され得る。
【０１２４】
また、本実施形態による推定部は、キーボードに対する手の置き方や、マウスの持ち方等に基づいて、ユーザの装置に対する習熟度や、ユーザが子供か大人か高齢者か等を推定することも可能である。
【０１２５】
さらに、本実施形態による推定部は、キーボードやスイッチを押す圧力に基づいて、ユーザが子供か大人か高齢者か、またはユーザが女性か男性か等を推定することも可能である。なお、キーボードやスイッチを押す圧力は、本実施形態による検出部により検出され得る。
【０１２６】
また、本実施形態による推定部は、マイクロホンで集音したユーザの音声に基づいて話者認識等を行うことで、ユーザの属性（年齢、年代、子供か大人か高齢者か等）を推定してもよい。
【０１２７】
また、ユーザの属性は、上述した習熟度、年齢、年代等の他、ユーザの人数および性別等に基づく、家族、カップル、一人、複数人といった属性であってもよい。これにより、本実施形態による設定部は、例えばユーザの属性が「複数人」の場合、人数に応じた対戦ゲームモードを出力する設定を行うことができる。
【０１２８】
さらに、本実施形態による設定部は、出力モードの設定として、ユーザの属性に応じた文字のサイズ、フォント、表記の設定の他、ユーザが入力した情報を、ユーザの属性に応じたスレッド（電子掲示板）に出力するよう設定してもよい。
【０１２９】
例えば、設定部は、ユーザの属性が「大人」である場合、ユーザが入力した文章を大人用のスレッドに出力（書き込む）よう設定する。また、設定部は、ユーザの属性が「子供」である場合、ユーザが入力した文章を子供用のスレッドに出力（書き込む）よう設定する。ここで、タブレット端末１が家庭で利用されることを前提とした場合、推定部は、大人の女性であれば「母親」、大人の男性であれば「父親」、子供であれば「子供」と推定してもよい。この場合、設定部は、推定されたユーザ属性に応じて、ユーザが入力した文章を、家族スレッドのうち所定の属性のスレッド（母親の電子掲示板、父親の電子掲示板、子供の電子掲示板）に出力するよう設定することができる。
【０１３０】
また、第１の実施形態によるタブレット端末１（入力装置）は、第２の実施形態で説明した検出部を有していてもよい。この場合、第１の実施形態による推定部１１０は、検出部の検出結果に基づいて、ユーザの属性を推定することが可能である。具体的には、推定部１１０は、タブレット端末１の電源スイッチ等に設けられた検出部による検出結果（指紋、指の大きさ、発汗量、または押圧力）に基づいて、ユーザの年齢、年代、ユーザが子供か大人か高齢者か等のユーザ属性を推定することができる。
【０１３１】
なお、本技術は以下のような構成も取ることができる。
（１）
ユーザの属性を自動的に推定する推定部と、
前記推定部により推定されたユーザの属性に応じて、入力モードを設定する設定部と、
前記設定された入力モードに基づいて、入力を制御する制御部と、
を備える、入力装置。
（２）
前記推定部が推定する前記ユーザの属性は、前記入力装置に対する前記ユーザの習熟度を示す、前記（１）に記載の入力装置。
（３）
前記推定部は、前記ユーザの入力状況、前記ユーザの年齢、年代、または前記ユーザが子供か大人か高齢者かに応じて、前記ユーザの習熟度を推定する、前記（２）に記載の入力装置。
（４）
前記推定部が推定する前記ユーザの属性は、前記ユーザの年齢、年代、または前記ユーザが子供か大人か高齢者かを示す、前記（１）〜（３）のいずれか１項に記載の入力装置。
（５）
前記推定部は、前記ユーザの入力内容、氏名、または前記ユーザの顔を撮像した撮像画像に応じて、前記ユーザの年齢、年代、または前記ユーザが子供か大人か高齢者かを推定する、前記（４）に記載の入力装置。
（６）
前記推定部が推定する前記ユーザの属性は、前記ユーザの人種または国籍を示す、前記（１）〜（５）のいずれか１項に記載の入力装置。
（７）
前記推定部が推定する前記ユーザの属性は、前記ユーザの視力を示す、前記（１）〜（６）のいずれか１項に記載の入力装置。
（８）
前記入力装置は、前記ユーザの属性を推定するための情報を検出する検出部をさらに備え、
前記推定部は、前記検出部による検出結果に基づいて、前記ユーザの属性を推定する、前記（１）〜（７）のいずれか１項に記載の入力装置。
（９）
前記入力モードの設定は、入力画面、または前記入力画面に含まれるソフトウェアキーボードのキー配列の設定である、前記（１）〜（８）のいずれか１項に記載の入力装置。
（１０）
前記入力モードの設定は、入力における言語設定である、前記（１）〜（８）のいずれか１項に記載の入力装置。
（１１）
ユーザの属性を自動的に推定する推定部と、
前記推定部により推定されたユーザの属性に応じて、出力モードを設定する設定部と、
前記設定された出力モードに基づいて、出力を制御する制御部と、
を備える、出力装置。
（１２）
前記推定部が推定する前記ユーザの属性は、前記出力装置に対する前記ユーザの習熟度を示す、前記（１１）に記載の出力装置。
（１３）
前記推定部は、前記ユーザの入力状況、前記ユーザの年齢、年代、または前記ユーザが子供か大人か高齢者かに応じて、前記ユーザの習熟度を推定する、前記（１２）に記載の出力装置。
（１４）
前記推定部は、前記ユーザの入力内容、氏名、または前記ユーザの顔を撮像した撮像画像に応じて、前記ユーザの年齢、年代、または前記ユーザが子供か大人か高齢者かを、前記ユーザの属性として推定する、前記（１１）〜（１３）のいずれか１項に記載の出力装置。
（１５）
前記出力装置は、前記ユーザの属性を推定するための情報を検出する検出部をさらに備え、
前記推定部は、前記検出部による検出結果に基づいて、前記ユーザの属性を推定する、前記（１１）に記載の出力装置。
（１６）
前記出力モードの設定は、表示画面に含まれる文字のサイズ、またはフォントの設定である、前記（１１）〜（１５）のいずれか１項に記載の出力装置。
（１７）
前記出力モードの設定は、表示画面の表記の設定である、前記（１１）〜（１６）のいずれか１項に記載の出力装置。
（１８）
前記表記の設定は、振り仮名の有無、漢字表記から仮名表記への変換、または他言語への変換の設定である、前記（１７）に記載の出力装置。
（１９）
コンピュータに、
ユーザの属性を自動的に推定する推定部と、
前記推定部により推定されたユーザの属性に応じて、入力モードを設定する設定部と、
前記設定された入力モードに基づいて、入力を制御する制御部と、
として機能させるためのプログラムが記憶された記憶媒体。
（２０）
コンピュータに、
ユーザの属性を自動的に推定する推定部と、
前記推定部により推定されたユーザの属性に応じて、出力モードを設定する設定部と、
前記設定された出力モードに基づいて、出力を制御する制御部と、
として機能させるためのプログラムが記憶された記憶媒体。
【符号の説明】
【０１３２】
１    タブレット端末
２    ＰＣ
３    オーディオ装置
１０、２０、３０    制御部
１１０、２１０、３１０    推定部
１３０、２３０、３３０    設定部
１５０    入力制御部
１１、２１、３１    カメラ
１３    タッチパネルディスプレイ
１４、２４、３４    記憶部
２２、３２    操作入力部
２３    表示装置
２５、３５    検出部
２５０    表示制御部
３３    スピーカ
３５０    音声出力制御部
【図１】
2014137627.tif 000003
【図２】
2014137627.tif 000004
【図３】
2014137627.tif 000005
【図４】
2014137627.tif 000006
【図５】
2014137627.tif 000007
【図６】
2014137627.tif 000008
【図７】
2014137627.tif 000009
【図８】
2014137627.tif 000010
【図９】
2014137627.tif 000011